(57)【要約】【課題】被着体と接着シートとの間に気泡が入ることを防止できるシート貼付装置および貼付方法を提供すること。【解決手段】シート貼付装置１は、剥離シートＲＬに接着シートＡＳが仮着された原反ＲＳを繰り出す繰出手段２と、接着シートＡＳを保持する保持手段３と、原反ＲＳを支持する支持面４１を有し、保持手段３で保持された接着シートＡＳを剥離シートＲＬから剥離する剥離手段４と、剥離手段４と保持手段３とを相対移動させる移動手段６と、接着シートＡＳを被着体ＷＦに押圧して貼付する押圧手段８と、原反ＲＳを支持面４１に沿うように矯正する矯正手段９とを備えている。【選択図】図１
2015060878.tif 000002
【特許請求の範囲】
【請求項１】
剥離シートに接着シートが仮着された原反を繰り出す繰出手段と、
前記接着シートを保持する保持手段と、
前記原反を支持する支持面を有し、前記保持手段で保持された前記接着シートを前記剥離シートから剥離する剥離手段と、
前記剥離手段と前記保持手段とを相対移動させる移動手段と、
前記接着シートを被着体に押圧して貼付する押圧手段と、
前記原反を前記支持面に沿うように矯正する矯正手段とを備えていることを特徴とするシート貼付装置。
【請求項２】
前記矯正手段は、前記剥離手段に設けられ、前記原反を前記支持面に引き寄せる引き寄せ手段を備えたことを特徴とする請求項１に記載のシート貼付装置。
【請求項３】
前記矯正手段は、前記保持手段に設けられ、前記原反に気体を吹き付ける気体吹き付け手段を備えたことを特徴とする請求項１または請求項２に記載のシート貼付装置。
【請求項４】
前記矯正手段は、前記原反の繰出方向に直交する幅方向の中央部から当該幅方向に沿う外側に向かって段階的に矯正領域を拡大することを特徴とする請求項１から請求項３のいずれかに記載のシート貼付装置。
【請求項５】
剥離シートに接着シートが仮着された原反を繰り出す工程と、
前記原反を支持する支持面を有する剥離手段で前記原反を当該支持面に沿うように矯正する工程と、
前記接着シートを保持手段で保持する工程と、
前記剥離手段と前記保持手段とを相対移動させ、前記保持手段で保持された前記接着シートを前記剥離手段で前記剥離シートから剥離する工程と、
前記接着シートを被着体に押圧して貼付する工程とを実施することを特徴とするシート貼付方法。
【発明の詳細な説明】
【技術分野】
【０００１】
本発明は、被着体に接着シートを貼付するシート貼付装置および貼付方法に関する。
【背景技術】
【０００２】
従来、半導体製造工程において、半導体ウエハ（以下、単に「ウエハ」という場合がある）に接着シートを貼付するシート貼付装置が知られている（例えば、特許文献１参照）。
特許文献１に記載のシート貼付装置は、剥離シートに接着シートが仮着された原反を繰り出す繰出手段と、剥離シートを折り返して当該剥離シートから接着シートを剥離するピールプレートと、剥離された接着シートを吸着面（保持面）で保持する保持手段とを備え、保持手段で保持した接着シートをウエハ（被着体）に押圧して貼付するように構成されている。
【先行技術文献】
【特許文献】
【０００３】
【特許文献１】特開２０１０−１９５４０９号公報
【発明の概要】
【発明が解決しようとする課題】
【０００４】
しかしながら、特許文献１に記載されたような従来のシート貼付装置は、一般的に原反に張力を付与しながら当該原反を繰り出すため、原反に繰出方向の皺が生じることがある。そのため、接着シートに皺が入った状態で保持手段に保持され、当該接着シートを被着体に貼付したときに、接着シートに皺が入ったり、被着体と接着シートとの間に気泡が入ったりしてしまうという不都合がある。
【０００５】
本発明の目的は、接着シートに皺が入ったり、被着体と接着シートとの間に気泡が入ったりすることを防止できるシート貼付装置および貼付方法を提供することにある。
【課題を解決するための手段】
【０００６】
本発明のシート貼付装置は、剥離シートに接着シートが仮着された原反を繰り出す繰出手段と、前記接着シートを保持する保持手段と、前記原反を支持する支持面を有し、前記保持手段で保持された前記接着シートを前記剥離シートから剥離する剥離手段と、前記剥離手段と前記保持手段とを相対移動させる移動手段と、前記接着シートを被着体に押圧して貼付する押圧手段と、前記原反を前記支持面に沿うように矯正する矯正手段とを備えていることを特徴とする。
【０００７】
本発明のシート貼付装置において、前記矯正手段は、前記剥離手段に設けられ、前記原反を前記支持面に引き寄せる引き寄せ手段を備えていることが好ましい。
本発明のシート貼付装置において、前記矯正手段は、前記保持手段に設けられ、前記原反に気体を吹き付ける気体吹き付け手段を備えていることが好ましい。
本発明のシート貼付装置において、前記矯正手段は、前記原反の繰出方向に直交する幅方向の中央部から当該幅方向に沿う外側に向かって段階的に矯正領域を拡大することが好ましい
【０００８】
本発明のシート貼付方法は、剥離シートに接着シートが仮着された原反を繰り出す工程と、前記原反を支持する支持面を有する剥離手段で前記原反を当該支持面に沿うように矯正する工程と、前記接着シートを保持手段で保持する工程と、前記剥離手段と前記保持手段とを相対移動させ、前記保持手段で保持された前記接着シートを前記剥離手段で前記剥離シートから剥離する工程と、前記接着シートを被着体に押圧して貼付する工程とを実施することを特徴とする。
【発明の効果】
【０００９】
以上のような本発明によれば、支持面に沿うように矯正された原反の接着シートを保持手段で保持するため、接着シートが皺のある状態のまま保持手段に保持されてしまうことを防止することができ、接着シートに皺が入ったり、被着体と接着シートとの間に気泡が入ったりすることを防止することができる。
【図面の簡単な説明】
【００１０】
【図１】本発明の一実施形態に係るシート貼付装置の側面図。
【発明を実施するための形態】
【００１１】
以下、本発明の一実施形態を図面に基づいて説明する。
なお、本実施形態において、基準となる図を挙げることなく、例えば、上、下、左、右、または、手前、奥といった方向を示した場合は、全て図１を正規の方向（付した番号が適切な向きとなる方向）から観た場合を基準とし、上、下、左、右方向が紙面に平行な方向であり、前が紙面に直交する手前方向、後が紙面に直交する奥側方向とする。
【００１２】
図１において、シート貼付装置１は、剥離シートＲＬに接着シートＡＳが仮着された原反ＲＳを繰り出す繰出手段２と、接着シートＡＳを保持する保持手段３と、原反ＲＳを支持する支持面４１を有し、保持手段３で保持された接着シートＡＳを剥離シートＲＬから剥離する剥離手段としての剥離板４と、剥離板４と保持手段３とを相対移動させる移動手段６と、接着シートＡＳを被着体としてのウエハＷＦに押圧して貼付する押圧手段であって駆動機器としての直動モータ８と、原反ＲＳを支持面４１に沿うように矯正する矯正手段９とを備え、真空ポンプや真空エジェクタ等の図示しない減圧手段でウエハＷＦを吸着保持可能に支持する支持面７１Ａを有する支持手段７の近傍に配置されている。
【００１３】
繰出手段２は、原反ＲＳを支持する支持ローラ２０と、原反ＲＳを案内する複数のガイドローラ２１と、駆動機器としての回動モータ２２Ａによって駆動される駆動ローラ２２との間に剥離シートＲＬを挟み込むピンチローラ２３と、図示しない駆動機器によって駆動され、剥離シートＲＬを回収する回収ローラ２４とを備えている。
【００１４】
保持手段３は、直動モータ８の出力軸８Ａに支持され、接着シートＡＳを保持する保持面３１Ａを有する保持プレート３１と、保持プレート３１に設けられ、保持面３１Ａに接着シートＡＳを保持させる静電チャック３２とを備えている。
【００１５】
移動手段６は、直動モータ８を支持するスライダ６１Ａを有する駆動機器としてのリニアモータ６１を備えている。
【００１６】
矯正手段９は、剥離板４に設けられ、原反ＲＳを支持面４１に引き寄せる引き寄せ手段９Ａと、保持手段３に設けられ、原反ＲＳに気体を吹き付ける気体吹き付け手段９Ｂとを備えている。引き寄せ手段９Ａは、支持面４１に設けられた複数の吸引孔９１と、配管９２を介して複数の吸引孔９１に連通する減圧ポンプや真空エジェクタ等の減圧手段９３とを備えている。気体吹き付け手段９Ｂは、保持面３１Ａに設けられた図示しない吹付孔に配管９４を介して連通する加圧ポンプやタービン等の気体供給手段９５を備えている。
【００１７】
以上のシート貼付装置１において、ウエハＷＦに接着シートＡＳを貼付する手順を説明する。
先ず、原反ＲＳを図１に示すようにセットする。そして、図示しない操作パネル等の入力手段を介して運転開始の信号を入力すると、繰出手段２が回動モータ２２Ａおよび図示しない駆動機器を駆動し、原反ＲＳを繰り出す。そして、剥離板４の上部に位置する接着シートＡＳが所定位置に到達したことを光学センサや撮像手段等の図示しない検知手段が検知すると、繰出手段２が回動モータ２２Ａおよび図示しない駆動機器の駆動を停止し、スタンバイ状態となる。
【００１８】
次に、人手または多関節ロボットやベルトコンベア等の図示しない搬送手段が支持面７１Ａ上にウエハＷＦを載置すると、支持手段７が図示しない減圧手段を駆動し、ウエハＷＦを支持する。次いで、気体吹き付け手段９Ｂが気体供給手段９５を駆動し、接着シートＡＳに気体を吹き付けるとともに、引き寄せ手段９Ａが減圧手段９３を駆動し、原反ＲＳを吸着して支持面４１に密着させる。これにより、当該原反ＲＳが支持面４１に沿うように矯正され、当該原反ＲＳの皺やうねりが解消される。
【００１９】
次に、気体吹き付け手段９Ｂが気体供給手段９５の駆動を停止した後、押圧手段が直動モータ８を駆動し、図１中右側の二点鎖線で示すように、保持プレート３１を下降させ、接着シートＡＳに保持面３１Ａを当接させる。そして、引き寄せ手段９Ａが減圧手段９３の駆動を停止した後、保持手段３が静電チャック３２を駆動し、保持面３１Ａで接着シートＡＳを保持する。
【００２０】
次に、繰出手段２および移動手段６が回動モータ２２Ａ、図示しない駆動機器、およびリニアモータ６１を同期させて駆動し、接着シートＡＳを保持した保持プレート３１を左方向に移動させながら原反ＲＳを繰り出すことにより、保持面３１Ａで接着シートＡＳを保持したまま、当該接着シートＡＳを剥離シートＲＬから剥離する。その後、直動モータ８が図１中左側の二点鎖線で示す位置に移動すると、押圧手段が直動モータ８を駆動し、図１中左側の二点鎖線で示すように、保持プレート３１を下降させ、当該保持プレート３１で接着シートＡＳをウエハＷＦに押圧して貼付する。
【００２１】
次に、保持手段３が静電チャック３２の駆動を停止した後、移動手段６および押圧手段がリニアモータ６１および直動モータ８を駆動し、保持プレート３１を図１中実線で示す位置に復帰させる。その後、人手または図示しない搬送手段がウエハＷＦを次工程に搬送し、以降上記同様の動作が繰り返される。
【００２２】
以上のような本実施形態によれば、支持面４１に沿うように矯正された原反ＲＳの接着シートＡＳを保持手段３で保持するため、接着シートＡＳが皺のある状態のまま保持手段３に保持されてしまうことを防止することができ、接着シートＡＳに皺が入ったり、ウエハＷＦと接着シートＡＳとの間に気泡が入ったりすることを防止することができる。
【００２３】
以上のように、本発明を実施するための最良の構成、方法等は、前記記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。また、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００２４】
例えば、矯正手段９は、引き寄せ手段９Ａのみで構成し、原反ＲＳを支持面４１に引き寄せることで当該原反ＲＳを支持面４１に沿って矯正するようにしてもよいし、気体吹き付け手段９Ｂのみで構成し、原反ＲＳに気体を吹付けることで当該原反ＲＳを支持面４１に沿って矯正するようにしてもよい。
【００２５】
また、矯正手段９は、原反ＲＳの繰出方向に直交する幅方向の中央部から当該幅方向に沿う外側に向かって段階的に矯正領域を拡大し、当該原反ＲＳを支持面４１に沿って矯正してもよい。この場合、引き寄せ手段９Ａは、原反ＲＳの幅方向の中央部から当該幅方向に沿う外側向かって段階的に原反ＲＳを支持面４１に引き寄せる構成であってもよいし、また、気体吹き付け手段９Ｂは、原反ＲＳの幅方向の中央部から当該幅方向に沿う外側向かって段階的に原反ＲＳに気体を吹き付ける構成であってもよい。
【００２６】
さらに、矯正手段９は、原反ＲＳの繰出方向に直交する幅方向の一端部から他端部方向に向かって段階的に矯正領域を拡大し、当該原反ＲＳを支持面４１に沿って矯正してもよい。この場合、引き寄せ手段９Ａは、原反ＲＳの幅方向の一端部から他端部方向に向かって段階的に原反ＲＳを支持面４１に引き寄せる構成であってもよいし、また、気体吹き付け手段９Ｂは、原反ＲＳの幅方向の一端部から他端部方向に向かって段階的に原反ＲＳに気体を吹き付ける構成であってもよい。
【００２７】
また、矯正手段９は、原反ＲＳの繰出方向下流側から上流側、または、上流側から下流側に向かって段階的に矯正領域を拡大し、当該原反ＲＳを支持面４１に沿って矯正してもよい。この場合、引き寄せ手段９Ａは、原反ＲＳの繰出方向下流側から上流側、または、上流側から下流側に向かって段階的に原反ＲＳを支持面４１に引き寄せる構成であってもよいし、また、気体吹き付け手段９Ｂは、原反ＲＳの繰出方向下流側から上流側、または、上流側から下流側に向かって段階的に原反ＲＳに気体を吹き付ける構成であってもよい。
【００２８】
また、矯正手段９は、原反ＲＳの繰出方向に直交する幅方向両端部をそれぞれ挟持する一対の挟持手段で構成してもよく、当該一対の挟持手段を離間する方向に移動させ、原反ＲＳを前後方向に引っ張ることで当該原反ＲＳを支持面４１に沿うように矯正してもよいし、一方の挟持手段を固定した状態で他方の挟持手段を一方の挟持手段から離間する方向に移動させて原反ＲＳを引っ張ることで当該原反ＲＳを矯正してもよい。
さらに、矯正手段９は、接着シートＡＳの大きさより長く且つ左右方向に延在して形成され、原反ＲＳにおける支持面４１に支持される面とは反対側の面（上面）側から当該原反ＲＳに当接するとともに、剥離板４とで原反ＲＳを挟み込む一対の当接手段と、当該一対の当接手段を原反ＲＳの繰出方向に直交する幅方向の中心から幅方向端部（外側）に向かって次第に原反ＲＳを支持面４１に沿って矯正するように移動させる移動手段とで構成してもよい。
さらに、引き寄せ手段９Ａは、静電チャックで構成してもよい。
また、気体吹き付け手段９Ｂは、原反ＲＳに向かう斜め方向から当該原反ＲＳに気体を吹き付ける構成であってもよい。
さらに、気体吹き付け手段９Ｂは、図１中二点鎖線で示すように、気体供給手段９５で供給される気体を接着シートＡＳの特性に合わせて加熱または冷却可能な気体温度調整手段９６を備えていてもよい。
【００２９】
また、保持手段３は、減圧ポンプや真空エジェクタ等の減圧手段や粘着剤等によって接着シートＡＳを保持する構成であってもよい。
【００３０】
さらに、移動手段６は、接着シートＡＳを剥離シートＲＬから剥離する動作に合わせて剥離板４を右方向に移動させてもよく、この場合、剥離板４のみを移動させてもよいし、保持手段３と剥離板４との両方を移動させてもよい。
【００３１】
また、押圧手段は、気体吹き付け手段９Ｂで構成してもよく、接着シートＡＳを保持した保持プレート３１をウエハＷＦの上面から所定間隔離れた位置で停止させ、気体吹き付け手段９Ｂで接着シートＡＳに気体を吹き付けてウエハＷＦに貼付してもよい。
【００３２】
また、接着シートＡＳおよび被着体の材質、種別、形状等は、特に限定されることはない。例えば、接着シートＡＳは、感圧接着性、感熱接着性等の接着形態に限定されることはなく、感熱接着性の接着シートＡＳが採用された場合は、当該接着シートＡＳを加熱する適宜な加熱手段を設ければよい。また、このような接着シートＡＳは、例えば、接着剤層だけの単層のもの、基材シートと接着剤層との間に中間層を有するもの、基材シートの上面にカバー層を有する等３層以上のもの、更には、基材シートを接着剤層から剥離することのできる所謂両面接着シートのようなものであってもよく、両面接着シートは、単層又は複層の中間層を有するものや、中間層のない単層又は複層のものであってよい。また、被着体としては、例えば、食品、樹脂容器、シリコン半導体ウエハや化合物半導体ウエハ等の半導体ウエハ、回路基板、光ディスク等の情報記録基板、ガラス板、鋼板、陶器、木板または樹脂板等、任意の形態の部材や物品なども対象とすることができる。なお、接着シートＡＳを機能的、用途的な読み方に換え、例えば、情報記載用ラベル、装飾用ラベル、保護シート、ダイシングテープ、ダイアタッチフィルム、ダイボンディングテープ、記録層形成樹脂シート等の任意の形状の任意のシート、フィルム、テープ等を前述のような任意の被着体に貼付することができる。
【００３３】
本発明における手段および工程は、それら手段および工程について説明した動作、機能または工程を果たすことができる限りなんら限定されることはなく、まして、前記実施形態で示した単なる一実施形態の構成物や工程に全く限定されることはない。例えば、シート貼付装置は、原反を支持面に沿うように矯正する矯正手段を備えたものであれば、出願当初の技術常識に照らし合わせ、その技術範囲内のものであればなんら限定されることはない（他の手段および工程についての説明は省略する）。
また、前記実施形態における駆動機器は、回動モータ、直動モータ、リニアモータ、単軸ロボット、多関節ロボット等の電動機器、エアシリンダ、油圧シリンダ、ロッドレスシリンダおよびロータリシリンダ等のアクチュエータ等を採用することができる上、それらを直接的又は間接的に組み合せたものを採用することもできる（実施形態で例示したものと重複するものもある）。
【符号の説明】
【００３４】
１      シート貼付装置
２      繰出手段
３      保持手段
４      剥離板（剥離手段）
６      移動手段
８      直動モータ（押圧手段）
９      矯正手段
９Ａ    引き寄せ手段
９Ｂ    気体吹き付け手段
４１    支持面
ＡＳ    接着シート
ＲＬ    剥離シート
ＲＳ    原反
【図１】
2015060878.tif 000003